(57)【要約】本発明の密封・半密封端子部品は、底壁がほぼ平らなカップ状の本体部と、上記カップ内に延びる環状の縁によって上記底壁に形成された少なくとも一つの開口部と、を有している。電流伝導ピンは、各開口部を貫通して、本体部の両端部の縁を超えて延びている。上記ピンの内端は、カップ状の本体部の皿状にへこんだ側に、上記ピンの外端は、本体部の外側に配置されている。弾力性のあるプラスチック材料は、密封シールと共に、縁の内面とピンとを固定するために本体部内に型に入れて形成されている。上記プラスチックは、各ピンおよびピン相互および／または本体部表面との間に所望の空気の通り道を形成するためにピンを固定し、本体部の面を超えて広がっている。
2005517267.tif 000002
【特許請求の範囲】
【請求項１】
内面と外面と少なくとも一つの貫通した開口部とを有する底部と、側壁と、を備えた金属本体と、
上記底部の上記開口部を通して長手方向に延びた電流伝導ピンと、
上記本体と機械的に連結し、少なくとも上記本体の上記底部の上記内面と上記外面の両方の部分を覆っており、上記本体と上記ピンの両方ともを固定し、上記ピンが延びている上記底部の上記開口部と上記ピンとの間にシールを備えている誘電性のプラスチック樹脂と、
を有することを特徴とする密封端子部品。
【請求項２】
上記プラスチック樹脂は、上記本体の上記底部の上記開口部を取り囲んでいる頸状部を有していることを特徴とする請求項１に記載の密封端子部品。
【請求項３】
上記プラスチック樹脂は、上記ピンを取り囲んでおり、上記本体を超えて上記ピンの長手方向に沿って延びているスリーブ部を有していることを特徴とする請求項２に記載の密封端子部品。
【請求項４】
上記ピンは、上記本体の上記底部の上記開口部を貫通して通じている軸部を有しており、上記ピンの上記軸部はそこを通過する電流の所定の電流量に応じて開くヒューズを備えていることを特徴とする請求項１に記載の密封端子部品。
【請求項５】
上記ヒューズは、上記ピン近接部の直径未満の直径を有することを特徴とする請求項４に記載の密封端子部品。
【請求項６】
上記ヒューズは、上記プラスチック樹脂と上記ピンとの固定を改善する傾向にあるでこぼこの外面を有することを特徴とする請求項４に記載の密封端子部品。
【請求項７】
上記ピンは、上記本体の上記底部の上記開口部を貫通して通じている軸部を有しており、上記ピンの軸部は上記プラスチック樹脂と上記ピンとの固定を改善する傾向にあるでこぼこの外面を有することを特徴とする請求項１に記載の密封端子部品。
【請求項８】
上記でこぼこした外面は、ネジ(screw thread)山であることを特徴とする請求項７に記載の密封端子部品。
【請求項９】
上記ピンはそこを通過する所定の電力量に応じて開くヒューズを備えており、このヒューズは上記軸部以外の位置に上記ピンを配置していることを特徴とする請求項７に記載の密封端子部品。
【請求項１０】
上記シールは密封シールであることを特徴とする請求項１に記載の密封端子部品。
【請求項１１】
上記シールは半密封シールであることを特徴とする請求項１に記載の密封端子部品。
【請求項１２】
側壁とこの側壁から本体の長手方向の中心に対して内側へ延びる底部の周辺縁とを有し、上記周辺縁は、内面と外面と上記本体を貫通して長手方向に形成された開口部とを有する本体と、
上記本体の上記開口部を通して長手方向に延びた電流伝導ピンと、
上記本体と機械的に連結し、少なくとも上記本体の上記底部の周辺縁の上記内面と上記外面の両方の部分を覆っており、上記本体と上記各ピンの両方を固定し、上記ピンが延びている上記底部の上記開口部と上記各ピンとの間にシールを備えている誘電性のプラスチック樹脂と、
有することを特徴とする端子部品。
【請求項１３】
上記プラスチック樹脂は、上記ピンを取り囲んでおり、上記本体を超えて上記ピンの長手方向に沿って延びているスリーブ部を有していることを特徴とする請求項１１に記載の端子部品。
【請求項１４】
上記ピンは、上記本体の上記開口部を貫通して通じている軸部を有しており、上記ピンの上記軸部はそこを通過する電流の所定の電流量に応じて開くヒューズを備えていることを特徴とする請求項１１に記載の端子部品。
【請求項１５】
上記ヒューズは、上記ピンの近接部の直径未満の直径を有することを特徴とする請求項１３に記載の端子部品。
【請求項１６】
上記ヒューズは、上記プラスチック樹脂と上記ピンとの固定を改善する傾向にあるでこぼこの外面を有することを特徴とする請求項１３に記載の端子部品。
【請求項１７】
上記ピンは、上記本体の上記底部の上記開口部を貫通して通じている軸部を有しており、上記ピンの軸部は上記プラスチック樹脂と上記ピンとの固定を改善する傾向にあるでこぼこの外面を有することを特徴とする請求項１１に記載の端子部品。
【請求項１８】
上記でこぼこした外面はネジ山(screw thread)であることを特徴とする請求項１６に記載の端子部品。
【請求項１９】
上記ピンはそこを通過する所定の電力量に応じて開くヒューズを備えており、このヒューズは上記軸部以外の位置に上記ピンを配置していることを特徴とする請求項１６に記載の端子部品。
【請求項２０】
上記シールは密封シールであることを特徴とする請求項１１に記載の端子部品。
【請求項２１】
上記シールは半密封シールであることを特徴とする請求項１１に記載の端子部品。
【発明の詳細な説明】
【発明の詳細な説明】
【０００１】
〔技術分野〕
本発明は、電極端子に関するものである。より詳しくは、一個以上の導線ピンを有しているタイプの端子に関するものである。この導線ピンは、金属本体部を貫いて、固定されている。つまり、上記の金属本体部の互いに向き合った部分の両側面に導線ピンの端部が配置されるように密封シールにより固定されている。
〔背景技術〕
密封してふさがれた電極端子は、密封してふさがれた装置と共に空気も通さない（気密）電気の端子として提供されている。上記装置は、電極端子によって、装置からの若しくは装置への漏れを効果的に不可能にする。
【０００２】
密封してふさがれた電極端子を安全で効果的に機能させるという目的のために、端子は絶縁して密封するための金属体を貫いており、最適な空気を通す導線ピンを必要とする。それゆえ、端子は、ピンの隣接部分と金属体の向き合った側面との間に維持される。
【０００３】
Wyzenbeekによって出願された米国特許公報第３１６０４６０号明細書に示されている従来の密封端子部品によると、真っ直ぐで、電流を流す導線ピンが可融性のガラス金属封じ（glass-to-metal）によって、端子部に形成した穴の縁に固定されている。
【０００４】
弾力性のある絶縁体は、ガラス金属封じの範囲を超えて端子部の表面に固定される。この絶縁体は、外面に導線ピンを固定している突出部を有している。この導体ピンは、ピンと近接した部分と導線体との間に所定の空気の通り道を形成している。このような密封端子の構造は、４０年間産業界で一般的とされてきた。
【０００５】
本発明の主要な目的は、導線ピンを持つ密封端子部品を提供することである。この導線ピンは、不可欠な材料特性を有する弾力性のあるプラスチックによって本体部全体と堅く、密封して固定されている。上記不可欠な材料特性とは、例えば、誘電体、耐湿性、化学分解に対する抵抗力等であり、密封シールとして提供されている。
【０００６】
導線ピンと導線体の間に密封シールを配置することに加えて、同様の弾力性のあるプラスチックが、ピンと、本体部の表面との間に所望の空気の通り道を形成するように導線ピンに固定されている。本発明の他の目的は、例えばプラスチック射出成形用金型のように、単純で安価に製造した端子を提供することである。
【０００７】
本発明は、ほぼ平らな底壁部と、環状縁によって形成された底壁部に配された少なくとも一つの開口部と、を有するカップ状の本体部を備えている密封端子部品を提供することである。伝導端子ピンは、各開口部を通して、本体部の両端部の縁を超えて広がっている。端子ピンの内端は、カップ状の本体部の皿状にへこんでいる側面に配されている。そして、端子ピンの外端は、本体部の外面を通して、本体部の外面に対して広がっている。
【０００８】
弾力性のあるプラスチック樹脂は、本体部に取りつけて型取られている。そして本体部と連結し、本体部と関連した位置で端子ピンと端子ピンとを固定している。プラスチック樹脂材料は、端子ピンと本体部との間に密封シールを形成している。加えて、プラスチックは、本体部の表面を超えて広がっており、各ピンおよびピン相互および／または本体部の表面との間に所望の空気の通り道を形成するピンを覆っている。
【０００９】
本発明の他の実施の形態では、端子ピンは様々な表面構成をもつ軸部を有している。この構成は、端子ピンに対してプラスチック樹脂の固定をよりいっそうよくすることを目的とする。そしてシールの密封を改良している。端子ピンは、ヒューズ部を有している。このヒューズ部は、端子ピンに描かれた予め決められた電流路に対して開口している。
【００１０】
本発明の適用のさらなるエリアは、以下の詳細な説明から明らかになるであろう。本発明のより好ましい実施の形態を示しているが、詳細な説明と特定の例は、単に例図の目的を説明したものにすぎず、本発明の範囲の限界を規定したものではない。
【００１１】
本発明は、添付の図面と詳細な説明から十分に理解できるであろう。
〔最良の実施形態の詳細な説明〕
以下に示す好ましい実施の形態は、事実上、単なる例示にすぎない。そして、本発明の適用または使用の限界を示したものではない。図１ないし図３に示すように、密封端子部品１０は、底１４がほぼ平らな略カップ状の本体部１２と、外面にフレアーのあるへり１８を持つ側壁１６とを備えている。
【００１２】
本体部１２の底１４は、皿状にへこんでいる側（dish-side）の内面２２と、外面２４と、多数の開口部２６とを有している。各々の開口部２６は、内壁面３０を持つ環状縁２８と、皿状にへこんでいる側面の自由端３２と、外側の輻射線３４とから形成されている。外端３８と内端４０とを有する電流伝導端子ピン３６は、従来の端子タブ（不図示）にはめ込むことができる。
【００１３】
電流伝導端子ピン３６は、本体部１２の内に直接型に入れて作った誘電性のプラスチック樹脂材料４４によって開口部２６内に密封されている。これにより本体部１２と端子ピン３６とは固定されている。型に入れて作ることにより、プラスチック樹脂４４は、シール４６を作り出している。このシール４６は、端子ピン３６と本体部１２との間に空気も通さない密封シールである。こうした端子３６によって、部品１０を通したもれが防止される。
【００１４】
さらに好ましい実施形態によると、プラスチック樹脂４４は、底１４の各側面における本体部１２及びその周辺部の型に入れて作られる。その結果、プラスチック樹脂４４は、皿状にへこんでいる側の内面２２と底壁２０の外面２４を覆っている。そして、プラスチック樹脂４４は本体部１２と機械的に連結する。プラスチック樹脂は、端子１０の内側及び外側を覆っている誘電体面を本体部１２に供給する。
【００１５】
加えて、プラスチック樹脂４４は、各端子ピン３６および／または本体部１２の間に好ましい空気の通り道を形成している外端３８に対して本体部１２から突き出ている端子ピン３６の部分を固定して覆っているスリーブ部４７を含んでいる。
【００１６】
皿状にへこんでいる側では、本体部１２の内面２２、型に入れて作ったプラスチック樹脂４４は、多数の頚状部４８を形成している。それぞれの頚状部４８は、本体部１２の底壁２０に開口部２６を形成している環状縁２８に近接して、この環状縁２８を取り囲んでいる。
【００１７】
各頚状部４８は、内面４０に対してそれぞれの端子ピン３６に沿って延びている。この延びは、端子１０の本体部１２の皿状にへこんでいる側の内面２２から突き出ている端子ピン３６の約１／３から１／４の距離である。誘導体を表面に有していることに加えて、頚状部４８が、密封シール４６の長さを拡張し、端子ピン３６に固定されていることが好ましい。
【００１８】
各端子ピン３６は、端子１０の本体部１２を貫通している軸部５０を有している。プラスチック樹脂４４は、内壁３０と端子ピン３６の軸部５０との間のスペースに満たされている。これにより、密封シール４６が形成され、端子ピン３６と端子１０の本体部１２とが固定される。
【００１９】
ヒューズ部５２は、端子ピン３６の軸部５０に含まれている。このヒューズ部５２は、端子１０の本体部１２の内部に形成されるために、シール４６によって取り巻かれている。ヒューズ部５２は、端子ピン３６の残り物から直径の小さい部分を作っている。ヒューズ部５２は、所定の電流伝導の最大容量以上に電流を流すことを目的としている。
【００２０】
あるいは、端子ピン３６は、端子１０の本体部１２の外部にヒューズを構成している。例えば、Honkomp等によって出願された米国特許第５０１７７４０号明細書によって開示された端子ピンがある。この言及によって、具体的に開示されている。
【００２１】
密封シール４６を型に入れて作ったプラスチック樹脂４４は、適切な電気的・機械的特性を持っている。この特性は、密封端子部品を利用する適用と動作環境を必要とする。典型的な最小限の工学材料の必要条件は、次のようなものである。
【００２２】
【表１】
2005517267.tif 000003
【００２３】
本発明の使用に適したプラスチック樹脂は、鋳造（ちゅうぞう）したプラスチック樹脂である。このプラスチック樹脂は、上述の通り、表面に誘電体を備え、密封シール４６を有している。このような鋳造したプラスチック樹脂は、ポリフェニレン硫化物（ＰＰＳ）である。このＰＰＳは、商標ＲＹＴＯＮとして知られている。
【００２４】
加えて、必要な電気的及び機械的特性を持っている他の鋳造したプラスチック樹脂もまた使用でき、これは液体結晶ポリマー混合物（ＬＣＰｓ）を含んでいる。このような材料の例としては、登録商標ZeniteにおけるDuPontとして商業上利用することができる。
【００２５】
さらに、操作・実行のために必要なものを少なくして本発明を利用することができる。そして、十分な密封シールは不必要ではないでないかもしれない。さらに、全く空気を通さないことはない半密封シール若しくは非密封シールさえも必要となる。本発明の端子部品１０は、このようなアプリケーションに適用できることは充分検討されている。
【００２６】
このようなアプリケーションにおいて本発明の使用に適したさらに鋳造したプラスチック樹脂は、ポリプロピレン、熱可塑性ポリオレフィン、登録商標Bakeliteのようなポリ塩化ビニルである。端子ピン３６は、固体の銅若しくは鋼のような電気的に導電性の材料から作られる。あるいは、高い電気的な導電性と、プラスチック樹脂４４の良好な密封・接着特性とを持つ二つの金属からなる銅芯ワイヤーもまた利用することができる。
【００２７】
図３及び図４には、本発明の密封端子部品１０’の第２の実施形態が記載されている。図示されている第１及び第２の実施形態に共通の要素と特性は、同一の参照符号で示されている。端子ピン３６’の軸部５０’に設けられている部分５４は、表面がざらざらして擦り減った面５６を有している。
【００２８】
こうした面は、例えば端子ピン３６’を研磨若しくはグリッドブラストのような機械的手法、または他の同様の手法、または化学的手法によって作ることができる。擦り減った面５６は、表面積を増加させるために端子ピン３６’に備えられている。プラスチック樹脂４４’は、プラスチック樹脂４４との固定力を高めるために端子ピン３６’と接触しており、機械的にかみ合っている。こうしてシール４６’の密封が改善される。
【００２９】
図３及び図４には図示されていないが、上記と同様に、端子ピン３６’はヒューズ部に組み込まれている。このようなヒューズ部は、また、擦り減った部分５６も有している。加えて、上記したように、プラスチック樹脂４４’は、各端子ピン３６’および／または本体部１２’との間に空気の通り道を形成するために、端子ピン３６’の突き出た外端３８’の部分を覆うことが好ましい。
【００３０】
さらに、本発明の他の密封端子部品は、図５及び図６に示されている。第３の実施形態によると、端子１０”は、外面にフレアーのあるへり１８を持っている側壁１６とともにほぼカップ状の本体部１２を有している。本体部は、ほぼ途切れなく閉じた底を持っている。しかし、その代わりに、へり１８”の反対の端で側壁１６”から内面に延びた周辺縁５８だけを有している。
【００３１】
プラスチック樹脂４４”は、周辺縁５８およびその周辺で型に入れて作られている。そこで、本体部１２”と機械的に連結されている。上記した実施の形態と同様に、プラスチック樹脂４４”もまた、各端子ピン３６’および／または本体部１２との間に空気の通り道を形成するために端子ピン３６”の突き出た外端３８”の部分を型に入れて作ることが好ましい。
【００３２】
本発明の第３の実施形態の端子ピン３６”もまた、上記した端子ピン３６、３６’とは異なっている。図５に示すように、端子ピン３６”の軸部５０”は、細線面５６’を形成している部分５４’である。上記と同様に、細線面５６’は、端子ピン３６”の表面積を増やすために端子ピン３６”に備えられている。プラスチック樹脂４４”は、端子ピン３６”と接触して機械的にかみ合っている。
【００３３】
かみ合いの面積が増加すると、これに相応して端子ピン３６”とプラスチック樹脂４４”との間の固定力が強くなる。そしてシール４６”の密封が改善される。この場合も先と同様に、端子ピン３６”は、ヒューズ部を組み込んでいる。これは、上記図１及び図２に対応して記載された事項と同じである。ヒューズ部はまた、細線面５６’を含んでいる。
【００３４】
言うまでもなく、本体部１２・１２’・１２”または、３６・３６’３６”のあらゆる特徴は、本発明の目的の範囲内で密封端子部品を作るためにいろいろな方法で組み合わせることができるであろう。本発明は、現在のより好ましい形式で開示され描かれているが、本発明は、付した特許請求の範囲に述べた発明の精神と範囲から逸脱しない範囲で改良することができると理解すべきである。
【図面の簡単な説明】
【００３５】
【図１】図１は、密封端子部品の斜視図である。
【図２】図２は、本発明の第１の実施の形態の密封端子部品の側面から見た断面図である。
【図３】図３は、図２に示す密封端子部品の断面斜視図である。
【図４】図４は、本発明の第２の実施の形態の密封端子部品の側面から見た断面図である。
【図５】図５は、図４に示す密封端子部品の断面斜視図である。
【図６】図６は、本発明の第３の実施の形態の密封端子部品の側面から見た断面図である。
【図７】図７は、図６に示す密封端子部品の断面斜視図である。
【図１】
2005517267.tif 000004
【図２】
2005517267.tif 000005
【図３】
2005517267.tif 000006
【図４】
2005517267.tif 000007
【図５】
2005517267.tif 000008
【図６】
2005517267.tif 000009
【図７】
2005517267.tif 000010
【手続補正書】
【提出日】平成16年8月18日(2004.8.18)
【手続補正１】
【補正対象書類名】特許請求の範囲
【補正対象項目名】全文
【補正方法】変更
【補正の内容】
【特許請求の範囲】
【請求項１】
内面と外面と壁を持つ少なくとも一つの開口部とを有する底部と、側壁と、を備えた金属本体と、
上記底部の上記開口部を通して長手方向に延びた電流伝導ピンと、
少なくとも上記本体の上記底部の上記開口部の上記壁と上記内面と上記外面との各部分を覆っており、上記本体と上記ピンの両方ともを直接的に固定し、上記ピンが延びている上記底部の上記開口部と上記ピンとの間に約１×１０−７ｃｃ／ｓｅｃ  Ｈｅのシールを備えている一体構造の誘電性のプラスチック樹脂と、
を有することを特徴とする密封端子部品。
【請求項２】
上記プラスチック樹脂は、上記本体の上記底部の上記開口部を取り囲んでいる頸状部を有していることを特徴とする請求項１に記載の密封端子部品。
【請求項３】
上記プラスチック樹脂は、上記ピンを取り囲んでおり、上記本体を超えて上記ピンの長手方向に沿って延びているスリーブ部を有していることを特徴とする請求項２に記載の密封端子部品。
【請求項４】
上記ピンは、上記本体の上記底部の上記開口部を貫通して通じている軸部を有しており、上記ピンの上記軸部はそこを通過する電流の所定の電流量に応じて開くヒューズを備えていることを特徴とする請求項１に記載の密封端子部品。
【請求項５】
上記ヒューズは、上記ピン近接部の直径未満の直径を有することを特徴とする請求項４に記載の密封端子部品。
【請求項６】
上記ヒューズは、上記プラスチック樹脂と上記ピンとの固定を改善する傾向にあるでこぼこの外面を有することを特徴とする請求項４に記載の密封端子部品。
【請求項７】
上記ピンは、上記本体の上記底部の上記開口部を貫通して通じている軸部を有しており、上記ピンの軸部は上記プラスチック樹脂と上記ピンとの固定を改善する傾向にあるでこぼこの外面を有することを特徴とする請求項１に記載の密封端子部品。
【請求項８】
上記でこぼこした外面は、ネジ(screw thread)山であることを特徴とする請求項７に記載の密封端子部品。
【請求項９】
上記ピンはそこを通過する所定の電力量に応じて開くヒューズを備えており、このヒューズは上記軸部以外の位置に上記ピンを配置していることを特徴とする請求項７に記載の密封端子部品。
【請求項１０】
側壁と、貫通して開口部を形成している底部の周縁部と、を有しており、上記周縁部は、上記側壁から長手方向の中心に対して内側へ延びており、さらに、上記周縁部は、内面と外面と長手方向に延びる壁とを有している金属本体と、
上記本体の上記開口部を通して長手方向に延びた電流伝導ピンと、
少なくとも上記底部の周辺縁の上記長手方向に広がった壁と上記内面と上記外面の各部分を覆っており、上記本体と上記ピンとの両方を直接的に固定し、上記ピンが延びている上記底部の上記開口部と上記ピンとの間に約１×１０−７ｃｃ／ｓｅｃ  Ｈｅのシールを備えている一体構造のプラスチック樹脂と、
有することを特徴とする端子部品。
【請求項１１】
上記プラスチック樹脂は、上記ピンを取り囲んでおり、上記本体を超えて上記ピンの長手方向に沿って延びているスリーブ部を有していることを特徴とする請求項１０に記載の端子部品。
【請求項１２】
上記ピンは、上記本体の上記開口部を貫通して通じている軸部を有しており、上記ピンの上記軸部はそこを通過する電流の所定の電流量に応じて開くヒューズを備えていることを特徴とする請求項１０に記載の端子部品。
【請求項１３】
上記ヒューズは、上記ピンの近接部の直径未満の直径を有することを特徴とする請求項１２に記載の端子部品。
【請求項１４】
上記ヒューズは、上記プラスチック樹脂と上記ピンとの固定を改善する傾向にあるでこぼこの外面を有することを特徴とする請求項１２に記載の端子部品。
【請求項１５】
上記ピンは、上記本体の上記底部の上記開口部を貫通して通じている軸部を有しており、上記ピンの軸部は上記プラスチック樹脂と上記ピンとの固定を改善する傾向にあるでこぼこの外面を有することを特徴とする請求項１０に記載の端子部品。
【請求項１６】
上記でこぼこした外面はネジ山(screw thread)であることを特徴とする請求項１５に記載の端子部品。
【請求項１７】
上記ピンはそこを通過する所定の電力量に応じて開くヒューズを備えており、このヒューズは上記軸部以外の位置に上記ピンを配置していることを特徴とする請求項１５に記載の端子部品。
【請求項１８】
上記プラスチック樹脂は、ポリフェニレン硫化物、液体結晶ポリマー、ポリプロピレン、熱可塑性ポリオレフィンからなる群から選ばれたものであることを特徴とする請求項１に記載の密封端子部品。
【国際調査報告】
2005517267.tif 000011
2005517267.tif 000012